【手続補正書】
【提出日】平成24年10月31日(2012.10.31)
【手続補正１】
【補正対象書類名】特許請求の範囲
【補正対象項目名】全文
【補正方法】変更
【補正の内容】
【特許請求の範囲】
【請求項１】
機能化光学要素であって、
光学基本要素と、
前記光学基本要素に直接に接着されて機能化光学要素を形成する少なくとも１つの機能層を組み込む機能化層状構造と、
を含み、
前記機能化層状構造の面上に配置されたラテックス接着剤又はガンマ−アミノプロピルトリエトキシシラン接着剤の層と、該ラテックス層又は該ガンマ−アミノプロピルトリエトキシシラン層と前記光学基本要素の間に配置されたホットメルト接着剤（ＨＭＡ）の層とを含む二層接着剤構造を更に含んで、該機能化層状構造を該光学基本要素上に永続的に保持すると同時に光学品質を維持する二層接着剤を形成する、
ことを特徴とする機能化光学要素。
【請求項２】
前記ラテックス接着層は、アクリルラテックス、（メタ）アクリルラテックス、ポリウレタンラテックス、コア／シェルラテックス、及びこれらの組合せから構成される群から選択された材料を含むことを特徴とする請求項１に記載の機能化光学要素。
【請求項３】
前記ラテックス層は、光学品質をもたらすために一貫して均一な厚みを有する０．５ミクロンと１０ミクロン厚の間の乾燥した固体層を含むことを特徴とする請求項２に記載の機能化光学要素。
【請求項４】
前記ラテックス層は、光学品質をもたらすために一貫して０．５ミクロン未満で変化する均一な厚みを有する１．０ミクロンと５．０ミクロン厚の間の乾燥した固体層を含むことを特徴とする請求項２に記載の機能化光学要素。
【請求項５】
前記ホットメルト接着層は、ＵＶ硬化性ＨＭＡ、ＵＶ硬化性モノマー、熱硬化性ＨＭＡ、及び熱硬化性モノマーのうちの１つ又はそれよりも多くを含むことを特徴とする請求項１に記載の機能化光学要素。
【請求項６】
前記ホットメルト接着層は、ポリマーＨＭＡ、熱可塑性ポリマーＨＭＡ、及びコロイドのうちの１つ又はそれよりも多くを含むことを特徴とする請求項１に記載の機能化光学要素。
【請求項７】
前記ホットメルト接着層は、熱活性化可能ポリウレタン接着剤を含むことを特徴とする請求項１に記載の機能化光学要素。
【請求項８】
前記ＨＭＡ層は、光学品質をもたらすために一貫して均一な厚みを有する１．０ミクロンと２０ミクロンの間の乾燥した固体層を含むことを特徴とする請求項７に記載の機能化光学要素。
【請求項９】
前記ＨＭＡ層は、光学品質をもたらすために一貫して０．５ミクロン未満で変化する均一な厚みを有する１．５ミクロンと１０ミクロンの間の乾燥した固体層を含むことを特徴とする請求項８に記載の機能化光学要素。
【請求項１０】
前記機能化層状構造は、
光学機能層、
光学構造化層、
フレネルレンズ構造、
偏光層、
光変色性層、
硬質被覆層、
保護膜層、
結露防止層、
汚濁防止層、
反射防止層、及び
帯電防止層、
から構成される群から選択された１つ又はそれよりも多くの層を含む、
ことを特徴とする請求項１に記載の機能化光学要素。
【請求項１１】
前記機能化層状構造は、偏光フィルム、ＴＡＣ／ＰＶＡ／ＴＡＣ偏光フィルム、及びＰＥＴ偏光フィルムのうちの１つを含むことを特徴とする請求項１に記載の機能化光学要素。
【請求項１２】
前記光学基本要素は、仕上げレンズ、半仕上げレンズ、ＰＡＬレンズ、無限焦点レンズ、平面レンズ、単焦点レンズ、及び多焦点レンズから構成される群から選択された熱可塑性光学基本要素であることを特徴とする請求項１に記載の機能化光学要素。
【請求項１３】
前記光学基本要素は、仕上げレンズ、半仕上げレンズ、ＰＡＬレンズ、無限焦点レンズ、平面レンズ、単焦点レンズ、及び多焦点レンズから構成される群から選択された熱硬化性光学基本要素であることを特徴とする請求項１に記載の機能化光学要素。
【請求項１４】
前記光学基本要素は、ポリカーボネートレンズであり、前記機能化層状構造は、偏光フィルムを含み、前記ラテックス接着剤は、ポリウレタンラテックス接着剤であり、前記ＨＭＡは、熱活性化可能ポリウレタン接着剤であり、これらが集まって積層偏光眼科用レンズを形成することを特徴とする請求項１に記載の機能化光学要素。
【請求項１５】
前記光学基本要素は、ポリイソシアネート及びポリチオールから形成されたポリウレタンポリマーを含む高屈折率レンズであり、
前記機能化層状構造は、偏光フィルムを含み、前記ラテックス接着剤は、ポリウレタン接着剤であり、前記ＨＭＡは、熱活性化可能ポリウレタン接着剤であり、これらが集まって積層偏光眼科用レンズを形成する、
ことを特徴とする請求項１に記載の機能化光学要素。
【請求項１６】
機能化光学要素を製造する方法であって、
光学基本要素を準備する段階（１０）と、
少なくとも１つの機能層を含む機能化層状構造を準備する段階（１０）と、
前記機能化層状構造の１つの面上にラテックス接着剤の層又はガンマ−アミノプロピルトリエトキシシラン接着剤の層を第１に被覆する段階（１６ａ）と、
光学品質の均一に薄い二層接着剤薄層を形成するために、乾燥させた前記ラテックス接着層又は乾燥させた前記ガンマ−アミノプロピルトリエトキシシラン接着剤層上にホットメルト接着剤の層を第２に被覆する段階（１８ａ）と、
高い接着強度を有する機能化光学要素を形成するために、前記第２のＨＭＡコーティング層を前記光学基本要素の面と接触させて該光学基本要素に対して前記機能化層状構造をホットプレスする段階（２０）と、
を含むことを特徴とする方法。
【請求項１７】
前記光学基本要素は、基本曲面を有し、前記第１に被覆する段階の前に、方法が、
前記機能化層状構造を前記基本曲面に近似する曲面に熱形成する段階、
を更に含む、
ことを特徴とする請求項１６に記載の方法。
【請求項１８】
前記第１に被覆する段階の前に、
前記機能化層状構造をコロナ放電及び／又は苛性処理を用いて表面処理する段階（１３）、
を更に含むことを特徴とする請求項１６に記載の方法。
【請求項１９】
前記第１に被覆する段階は、液体ポリウレタンラテックス接着剤を０．５ミクロンと１０ミクロンの間の最終乾燥厚みまでスピンコートする段階を含むことを特徴とする請求項１６に記載の方法。
【請求項２０】
前記第２に被覆する段階は、液体ポリウレタンＨＭＡを１ミクロンと２０ミクロンの間の最終乾燥厚みまでスピンコートする段階を含むことを特徴とする請求項１６に記載の方法。
【請求項２１】
前記機能化光学要素をＵＶ放射線に露出する段階、
を更に含むことを特徴とする請求項１６に記載の方法。
【請求項２２】
前記第１に被覆する段階は、液体ポリウレタンラテックス接着剤を１．０ミクロンと５．０ミクロンの間の最終乾燥厚みまでスピンコートする段階を含み、前記第２に被覆する段階は、液体ポリウレタンＨＭＡを１．５ミクロンと１０ミクロンの間の最終乾燥厚みまでスピンコートする段階を含み、前記面にわたって０．５ミクロン未満で変化する均一な厚みを有する光学品質で二層接着剤薄層を形成することを特徴とする請求項１６に記載の方法。
【請求項２３】
前記機能化層状構造は、
光学機能層、
光学構造化層、
フレネルレンズ構造、
偏光層、
光変色性層、
硬質被覆層、
保護膜層、
結露防止層、
汚濁防止層、
反射防止層、及び
帯電防止層、
から構成される群から選択された１つ又はそれよりも多くの層を含む、
ことを特徴とする請求項２２に記載の方法。
【請求項２４】
前記機能化層状構造は、偏光フィルムを含むことを特徴とする請求項２２に記載の方法。
【請求項２５】
前記光学基本要素は、仕上げレンズ、半仕上げレンズ、ＰＡＬレンズ、無限焦点レンズ、平面レンズ、単焦点レンズ、及び多焦点レンズから構成される群から選択された熱可塑性光学基本要素であることを特徴とする請求項２２に記載の方法。
【請求項２６】
前記光学基本要素は、仕上げレンズ、半仕上げレンズ、ＰＡＬレンズ、無限焦点レンズ、平面レンズ、単焦点レンズ、及び多焦点レンズから構成される群から選択された熱硬化性光学基本要素であることを特徴とする請求項２２に記載の方法。
【請求項２７】
前記光学基本要素は、ポリカーボネートレンズであり、前記機能化層状構造は、偏光フィルムを含み、これらが集まって積層偏光眼科用レンズを形成することを特徴とする請求項２２に記載の方法。
【請求項２８】
前記光学基本要素は、ポリイソシアネート及びポリチオールから形成されたポリウレタンベースのポリマーを含む高屈折率レンズであり、前記機能化層状構造は、偏光フィルムを含み、これらが集まって積層偏光眼科用レンズを形成することを特徴とする請求項２２に記載の方法。